(57)【要約】【課題】  エンジン部に非通電のまま起動する画像形成装置では、起動時にはジャム検知センサによる検知ができないため、ユーザに正確なジャムの情報を通知できない。【解決手段】  エンジン部を非通電状態にして起動できる画像形成装置及びその制御方法であって、エンジン部におけるジャムの発生を示す情報を不揮発性メモリに記憶し、画像形成装置の起動時、その不揮発性メモリに記憶されている情報に対応するエンジン部に通電し、その通電されたエンジン部におけるジャムの発生を検知する検知手段が検知すると、当該エンジン部におけるジャムの発生を報知する。【選択図】  図５
2014104726.tif 000002
【特許請求の範囲】
【請求項１】
エンジン部を非通電状態にして起動できる画像形成装置であって、
前記エンジン部におけるジャムの発生を示す情報を記憶する不揮発性記憶手段と、
前記画像形成装置の起動時、前記不揮発性記憶手段に記憶されている前記情報に対応するエンジン部に通電する通電手段と、
前記エンジン部におけるジャムの発生を検知する検知手段と、
前記通電手段により通電された前記エンジン部におけるジャムの発生を前記検知手段が検知すると、当該エンジン部におけるジャムの発生を報知する報知手段と、
を有することを特徴とする画像形成装置。
【請求項２】
前記検知手段は、前記エンジン部が通電状態のときに当該エンジン部におけるジャムの発生を検知することを特徴とする請求項１に記載の画像形成装置。
【請求項３】
前記エンジン部は、少なくともプリンタ部とスキャナ部を含む複数のエンジン部を備え、前記ジャムの発生を示す情報は、各エンジン部ごとに前記不揮発性記憶手段に記憶されることを特徴とする請求項１又は２に記載の画像形成装置。
【請求項４】
前記通電手段により通電されたエンジン部におけるジャムの発生を前記検知手段が検知しないときは、前記エンジン部を非通電状態にする非通電手段を更にすることを特徴とする請求項１乃至３のいずれか１項に記載の画像形成装置。
【請求項５】
エンジン部を非通電状態にして起動できる画像形成装置を制御する制御方法であって、
記憶手段が、前記エンジン部におけるジャムの発生を示す情報を不揮発性メモリに記憶する記憶工程と、
通電手段が、前記画像形成装置の起動時、前記不揮発性メモリに記憶されている前記情報に対応するエンジン部に通電する通電工程と、
検知手段が、前記エンジン部におけるジャムの発生を検知する検知工程と、
報知手段が、前記通電工程で通電された前記エンジン部におけるジャムの発生を前記検知工程で検知すると、当該エンジン部におけるジャムの発生を報知する報知工程と、
を有することを特徴とする画像形成装置の制御方法。
【請求項６】
コンピュータに、請求項５に記載の制御方法を実行させるためのプログラム。
【発明の詳細な説明】
【技術分野】
【０００１】
本発明は、画像形成装置、その制御方法、及びプログラムに関する。
【背景技術】
【０００２】
画像形成装置では、その複雑な機構上、画像の形成中に紙詰まり、即ち、ジャムが発生する場合がある。このため画像形成装置は、そのエンジン部にジャムを検知するジャム検知センサを備えており、そのセンサによりジャムの発生を検知した場合には画像形成動作を中断し、ユーザにジャムの発生を報知するように構成されている。これによりユーザが、その詰まった紙を除去する等して、ジャムの状態から正常な状態に復帰させることにより、画像形成装置は再び画像形成動作が実行可能な状態となる。
【０００３】
しかし、ジャムが発生しても、そのジャムの要因が取り除かれずにジャムの状態のままユーザの操作等により画像形成装置の電源がオフされる場合がある。このような場合には、ジャムが発生した状態のままでは画像形成動作を行うことができないので、一般的な画像形成装置では、次回、その画像形成装置の電源がオンされたときに、再びジャムの発生を報知することになる。
【０００４】
この機能を実現するため、従来の画像形成装置では、電源オン時に、ジャム検知センサを用いてジャムの有無を検知するか、或いは不揮発性記憶装置にジャムの発生を記憶しておき、次回の電源オン時に、その記憶している内容に基づいてジャムを報知していた。例えば、特許文献１には、画像の形成中にジャムが発生したことを不揮発性記憶装置に記憶しておく。そして、ジャムの処置がなされないまま画像形成装置の電源がオフされたときは、次回、画像形成装置の電源がオンされたときに、その不揮発性記憶装置に記憶されている内容に基づいてジャムが発生していることを報知する技術が記載されている。
【先行技術文献】
【特許文献】
【０００５】
【特許文献１】特開２００３−１１８８８１号公報
【発明の概要】
【発明が解決しようとする課題】
【０００６】
一方、近年、画像形成装置における省電力への関心が高まっている。そこで画像形成装置の消費電力を抑えるために、画像形成動作に必要な箇所に必要な期間だけ通電するような節電機能を備えた画像形成装置が存在する。こうした節電機能を備えた画像形成装置では、画像形成装置全体の消費電力をより低減するために、画像形成装置の立ち上げ時にはエンジン部に通電せずに起動している。そして画像の形成動作が指示された時点で初めてエンジン部に通電し、形成動作が完了すれば再び、エンジン部に通電しないようにすることにより、消費電力の大きいエンジン部への通電時間をできる限り短くして消費電力を抑えている。
【０００７】
このような画像形成装置では、もしジャムが発生したままで画像形成装置の電源がオフされると、次回、画像形成装置の電源がオンされたとき、上述したように直ぐにエンジン部には通電されない。従って、電源オン時にはエンジン部に通電されないため、その時点ではジャム検知センサはジャムの発生を検知できず、ジャム検知センサがジャムを検知できるのは、早くとも画像形成動作の開始が指示された時点となる。つまり、画像形成装置が起動したときには、例えジャムが発生していても、それをユーザに報知することができない。
【０００８】
ジャムが発生している場合には、画像形成装置の起動時に直ちに、ユーザにその旨を報知することが望ましい。これはジャムの状態を解消するには時間がかかり、ユーザが画像形成を指示した後で、初めてジャムに気付いて、そのジャムを解消するための作業を行うのは操作性や利便性の点で課題があるためである。
【０００９】
またユーザは、画像形成装置の電源をオフにした状態で、ジャムの要因となった紙詰まりを除去することによりジャムを解消する場合もあり得る。そのような場合は、次回、画像形成装置の電源がオンされたときには、既にジャムが解消されているため、ジャムが発生しているという報知を行わないようにするのが望ましい。このためには、画像形成装置の電源オン時に、ジャム検知センサを用いてジャムが発生していないことを検知する必要がある。しかし、エンジン部に非通電のまま起動する画像形成装置では、起動時にはジャム検知センサによる検知ができないため、ユーザに正確なジャムの情報を通知できないという課題があった。
【００１０】
本発明の目的は、上記従来技術の課題を解決することにある。
【００１１】
本発明の目的は、通常は画像形成装置のエンジン部に通電せずに起動し、エンジン部でジャムが発生したことが記憶されていると初めてエンジン部に通電してジャムが発生しているかどうかを調べる。これにより、起動時の電力消費量を少なくした画像形成装置及びその制御方法を提供することにある。
【課題を解決するための手段】
【００１２】
上記目的を達成するために本発明の一態様に係る画像形成装置は以下のような構成を備える。即ち、
エンジン部を非通電状態にして起動できる画像形成装置であって、
前記エンジン部におけるジャムの発生を示す情報を記憶する不揮発性記憶手段と、
前記画像形成装置の起動時、前記不揮発性記憶手段に記憶されている前記情報に対応するエンジン部に通電する通電手段と、
前記エンジン部におけるジャムの発生を検知する検知手段と、
前記通電手段により通電された前記エンジン部におけるジャムの発生を前記検知手段が検知すると、当該エンジン部におけるジャムの発生を報知する報知手段と、
を有することを特徴とする。
【発明の効果】
【００１３】
本発明によれば、ジャムが発生したままの状態で画像形成装置の電源がオフされた場合でも、その画像形成装置の起動時にユーザにジャムの発生を報知することができ、利便性と省電力とを両立できる。また、起動時に検知手段によりジャム発生の有無を検知することができるので、例えば画像形成装置の電源オフ中にジャムが処理されていた場合にはジャムを報知しないので、不要な報知が発生しない。
【図面の簡単な説明】
【００１４】
【図１】実施形態に係る複合機の構成を示すブロック図。
【図２】実施形態に係る複合機における各部（デバイス）への通電状態を説明する図。
【図３】本実施形態に係る複合機の構造断面図。
【図４】実施形態に係る複合機によるシャットダウン処理を説明するフローチャート。
【図５】実施形態に係る複合機の起動時の動作を説明するフローチャート。
【発明を実施するための形態】
【００１５】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。本実施形態では、画像形成装置の一例として複合機を例に説明する。
【００１６】
図１は、本発明の実施形態に係る複合機１の構成を示すブロック図である。
【００１７】
スキャナ部２は、原稿の画像を光学的に読み取ってデジタル画像データに変換して出力する。コントローラ３は、ＣＰＵ１３、ハードディスク１４、メモリ１５及び不揮発メモリ３４を有し、この複合機１全体の動作を制御している。プリンタ部４は、デジタル画像データに基づいて紙に印刷する。画像処理部５は、スキャナ部２から出力される画像データやＬＡＮインターフェース９を介して受信した画像データに対して各種画像処理を実行する。操作部８はユーザにより操作され、この複合機１を操作するための各種情報を入力する。ＦＡＸ部７は、電話回線等を介してデジタル画像を送受信する。コントローラ３は、これらと接続され、各部に指示を出すことにより複合機上でジョブを実行する。
【００１８】
また、操作部８はジャムの発生などをユーザに対して報知することが可能な非図示の表示パネルを備える。また複合機１は、ＬＡＮインターフェース９経由でコンピュータ１０との間でデジタル画像データの入出力、ジョブの発行や機器の指示等も行なうことが可能である。
【００１９】
スキャナ部２は、積載された原稿の束から原稿を一枚ずつ給紙する原稿給紙ユニット１１、その原稿を光学的に読み取ってデジタル画像に変換するスキャナユニット１２を有し、その変換された画像データはコントローラ３に送信される。またスキャナ部２は、原稿給紙ユニット１１で発生したジャムを検知するためのジャム検知センサ３２を備える。
【００２０】
プリンタ部４は、シート束から一枚ずつシートを搬送して給紙する給紙ユニット１８、給紙したされたシートに画像データを印刷するためのマーキングユニット１６、印刷後のシートを排紙するための排紙ユニット１７を有する。また、排紙ユニット１７或いは給紙ユニット１８で発生したジャムを検知するためのジャム検知センサ３３を備える。
【００２１】
コントローラ３は、スキャナ部２から受け取った画像データをメモリ１５に一時的に保存する。その後、ハードディスク１４にその画像データを格納することにより、スキャナ部２による画像のスキャンと画像データの保存とが完了する。またコントローラ３は、ハードディスク１４に記憶されている画像データを読み出してメモリ１５に一時保存し、そのメモリ１５からプリンタ部４に画像データを出力することにより印刷を行うことができる。また画像処理部５の汎用画像処理部１９を使用して、メモリ１５に保存した画像データを、例えば縮小等の処理を行った後、再度、メモリ１５に保存することができる。この汎用画像処理部１９は必要に応じて様々な場面で使用される。
【００２２】
不揮発性メモリ３４は、この複合機１のファームウェアや、ユーザの設定値などを格納するのに使用され、一般的にフラッシュメモリ等で構成され、複合機１が電源オフの状態でも、その記憶内容を保持することができる。
【００２３】
次に、この複合機１が有する機能について説明する。これら機能は、操作部８をユーザが操作して指示するか、或いはＬＡＮインターフェース９を介して受信した指示をＣＰＵ１３が解釈することにより起動される。
・複写機能
スキャナ部２で得られた画像データをハードディスク１４に保存し、同時に、プリンタ部４を使用して印刷を行なう。
・画像送信機能
スキャナ部２で得られた画像データをハードディスク１４に保存し、ＬＡＮインターフェース９を経由してコンピュータ１０に送信する。
・画像保存機能
スキャナ部２で得られた画像データをハードディスク１４に保存し、必要に応じて送信や印刷を行なう。
・画像印刷機能
ＬＡＮインターフェース９を介してコンピュータ１０から受信した、例えばページ記述言語を解析し、プリンタ部４で印刷する。
・ＦＡＸ受信プリント
ＦＡＸ部で受信したＦＡＸ画像データをハードディスク１４に保存し、同時に、プリンタ部４を使用して印刷を行う。
・ＦＡＸ転送処理
ＦＡＸ部７で受信したＦＡＸ画像データをハードディスク１４に保存し、同時に、ＬＡＮインターフェース９を経由してコンピュータ１０等に転送する。
・ＦＡＸメモリ受信処理
ＦＡＸ部７で受信したＦＡＸ画像データをハードディスク１４に保存し、オペレータからの指示を待つ。
・ＦＡＸ送信処理
スキャナ部２で得られた画像データをハードディスク１４に保存し、同時に、ＦＡＸ部７から公衆回線に送信する。
【００２４】
尚、上述の多くの機能でハードディスク１４を介在させているのは、ジョブに失敗した場合や、電源断等の異常状態から、画像データをリカバリするためである。
【００２５】
次に電源ユニット６について説明する。この電源ユニット６は、複合機１で電源を供給する装置である。この電源ユニット６には、ユーザが複合機１の電源をオン／オフするための電源スイッチ３０が接続されており、この電源スイッチ３０のオン／オフ状態はスイッチ状態の信号線３１を通じてＡＣ−ＤＣコンバータ２０及びＣＰＵ１３に通知される。ユーザは、この電源スイッチ３０を操作することで複合機１の電源をオン／オフすることができる。電源スイッチ３０をオンにすることで、ＡＣ−ＤＣコンバータ２０にＡＣ電源２９が供給されてＤＣ電源が作られる。一方、電源スイッチ３０がオフされた時は、コントローラ３がシステムのシャットダウンを完了するまでコントローラ３への電源供給を停止してはならない。この場合は、スイッチ状態の信号線３１を通じて電源スイッチ３０の状態をＣＰＵ１３に通知し、シャットダウンが完了した後に、ＣＰＵ１３は、電源リモート信号線３５を用いて全ての電源供給を停止するようになっている。この電源ユニット６は、ＣＰＵ１３の指示により、複合機全体に対して４つの独立した電源制御が可能である。即ち、ＣＰＵ１３からのスイッチ信号２１により、コントローラ３に供給する電源２５をオフ／オンできる。同様に、スイッチ信号２２により、プリンタ部４に供給する電源２８をオン／オフできる。またスイッチ信号２３により、スキャナ部２に供給する電源２６をオン／オフでき、スイッチ信号２４により、画像処理部５に供給する電源２７をオフ／オンできる。このようにＣＰＵ１３は、これらのスイッチ信号２１〜２４を用いることにより、適切に複合機１の必要な箇所に電力を供給することができる。
【００２６】
以下、実施形態に係る複合機１の電源オン時における様々な電力状態について図２を参照して説明する。
【００２７】
図２（Ａ）〜（Ｈ）は、実施形態に係る複合機１における各部（デバイス）への通電状態を説明する図である。図２（Ａ）は、複合機１の電源がオフされて、複合機１のどこにも電源が供給されていない状態を示している。尚、図２において、図１に示す参照符号は略している。
・スタンバイ
コントローラ３に電源２５が供給されている状態である。複合機１は、電源オン後、或いはジョブによる画像形成動作の完了後にこの状態となる。この時の各部の通電状態は図２（Ｂ）のようになる。
【００２８】
この状態では、操作部８からのユーザによる操作、ＬＡＮインターフェース９経由でネットワークからのジョブの受け付け、そしてファクシミリの受信等を行うことができる。この状態ではプリンタ部４への電源２８、スキャナ部２への電源２６、画像処理部５への電源２７はオフとなっている。このためＣＰＵ１３は、ジョブが指示されると、スイッチ信号２２〜２４を用いて、そのジョブを実行するのに必要な部分に電源を供給した後に、そのジョブを実行する。
【００２９】
例えば、以下のようにジョブの種類に応じて各部の電源をオンにして、様々な電力供給状態をとることができる。
・複写機能
スキャナ部２への電源２６とプリンタ部４への電源２８をオンにし、先に述べたように複写機能を実現する。この場合は、図２（Ｃ）に示す通電状態となる。
・画像送信機能
スキャナ部２への電源２６をオンにし、読みとった画像データを送信する。図２（Ｄ）のような通電状態となる。
・画像保存機能
スキャナ部２への電源２６をオンにし、読みとった画像データをハードディスク１４に保存する。図２（Ｄ）の通電状態である。
・画像印刷機能
プリンタ部２への電源２８をオンにし、ハードディスク１４に記憶されている画像データやＬＡＮインターフェース９を介して受信した画像データを印刷する。図２（Ｅ）のような通電状態となる。
・ＦＡＸ受信プリント
プリンタ部２への電源２８と画像処理部５への電源２７をオンにし、受信したＦＡＸ画像データに画像処理を施した後、印刷する。図２（Ｆ）のような通電状態である。
・ＦＡＸ転送処理
画像処理部５への電源２７をオンにし、ＦＡＸ受信した画像データを汎用画像処理部１９で画像処理した後、転送する。図２（Ｇ）のような通電状態である。
・ＦＡＸメモリ受信処理
画像処理部５の電源２７をオンにし、ＦＡＸ受信した画像データを画像処理した後、ハードディスク１４に保存する。図２（Ｇ）の通電状態である。
・ＦＡＸ送信処理
スキャナ部２の電源２６と画像処理部５の電源２７をオンにし、読み込んだＦＡＸ画像データを公衆回線に送信する。図２（Ｈ）の通電状態である。
【００３０】
これらジョブが完了した後、ＣＰＵ１３は、各部（各デバイス）の電源を落として先述のスタンバイの状態（図２（Ｂ））へ戻ることで、必要な部分のみに通電してジョブを実行できる。これにより、複合機１の待機電力を削減することが可能となる。
【００３１】
次に図３を参照して、本実施形態に係る複合機１のスキャナ部２およびプリンタ部４の構成を説明する。
【００３２】
図３は、本実施形態に係る複合機１の構造断面図である。尚、図３において、図１と共通する部分は同じ記号で示している。
【００３３】
スキャナ部２の原稿給紙ユニット１１は、原稿を先頭から順に１枚ずつプラテンガラス３０２上へ給送して原稿を読み取り可能にし、原稿の読み取り終了後、プラテンガラス３０２上の原稿を排出トレイ３０３に排出する。原稿搬送経路上には、原稿の搬送状態を検知することのできるジャム検知センサ３２が設けられている。原稿がプラテンガラス３０２上に搬送されると、ランプ３０４を点灯し、光学ユニット３０５の移動を開始させて原稿を露光走査する。この時、原稿からの反射光は、ミラー３０６，３０７，３０８及びレンズ３０９によってＣＣＤイメージセンサ（以下、ＣＣＤ）３１０へ導かれる。このようにして、走査された原稿の画像はＣＣＤ１３０によって読み取られる。ＣＣＤ１１０から出力される画像データは、プリンタ部４或いは汎用画像処理部１９へ転送される。
【００３４】
次にプリンタ部４の構成とその動作について説明する。
【００３５】
プリンタ部４のレーザドライバ３１１は、レーザ発光部３１２を駆動しており、入力画像データに応じたレーザ光を発光させる。このレーザ光は感光ドラム３１３に照射され、感光ドラム３１３の表面にはレーザ光に応じた潜像が形成される。こうして感光ドラム３１３に形成された潜像の部分には、現像器３１４によって現像剤が付着される。
【００３６】
プリンタ部４は、給紙ユニットとして、それぞれ引き出し状の形状をしたカセット３１５、カセット３１６、カセット３１７、カセット３１８、そして、機外に露出しているトレイ上の手差し給紙段３１９を備えている。プリンタ部４は、印刷実行時にはカセット３１５、カセット３１６、カセット３１７、カセット３１８、手差し給紙段３１９のいずれかから紙（シート）を給紙する。そして、給紙したシートを搬送路３２０を通って転写部３２１へ送り、そのシートに感光ドラム３１３に付着された現像剤を転写する。こうして現像剤が載ったシートは搬送ベルト３２２によって定着部３２３に搬送され、定着部３２３の熱と圧力により現像剤がシートに定着される。その後、定着部３２３を通過したシートは、搬送路３２４、搬送路３２５を通って排出される。或いは、印刷面を反転して排出する場合には、搬送路３２６、搬送路３２７まで導かれ、そこからシートを逆方向に搬送し、搬送路３２８、搬送路３２５を通って排紙される。
【００３７】
また、両面印刷が設定されている場合は、シートは定着部３２３を通過した後、搬送路３２６からフラッパ３２９によって搬送路３３０に導かれ、その後、逆方向に搬送されフラッパ３２９によって搬送路３２７、再給紙するための搬送路３３１へ導かれる。再給紙搬送路３３１へ導かれたシートは、上述したタイミングで搬送路３２０を通って転写部３２１へ給紙される。
【００３８】
そして、搬送路３２５より排出されたシートは、排紙トレイ３３２へ搬送される。また、上述の搬送路上３３３，３３４にシートのジャムを検知するためのジャム検知センサ３３が設けられている。
【００３９】
次に、本実施形態に係る複合機１におけるシャットダウン処理について図４を参照して説明する。この処理は、ＣＰＵ１３が、電源スイッチ３０がオフにされたことをスイッチ状態の信号線３１により検知することにより開始される。
【００４０】
図４は、実施形態に係る複合機によるシャットダウン処理を説明するフローチャートである。この処理を実行するプログラムは、ハードディスク１４に記憶されており、実行時にメモリ１５にロードされ、このプログラムをＣＰＵ１３が実行することにより、このフローチャートで示す処理が実現される。
【００４１】
尚、本実施形態に係る複合機１では、スキャナ部２或いはプリンタ部４でジャムが発生している場合は、ジャムが発生している部分は通電状態のまま維持される。これはユーザが紙詰まりを除去してジャムを処理した場合には、直ぐに、そのことを検知して中断していたジョブを再開することができるようにジャム検知センサ３２，３３の出力を監視するためである。
【００４２】
この処理はユーザにより複合機１のシャットダウンが指示されることにより開始され、まずＳ１０１で、ＣＰＵ１３はシャットダウン処理を開始し、操作部８の表示パネルに複合機１がシャットダウン中であることを示すメッセージを表示する。次にＳ１０２に進み、ＣＰＵ１３は現在実行中のサービス或いはジョブ等の中断・終了処理を行う。次にＳ１０３に進み、ＣＰＵ１３はスキャナ部２に備えられたジャム検知センサ３２がジャムを検知しているかどうかを判断する。ジャムを検知している場合はＳ１０４へ進み、そうでない場合にはＳ１０５へ進む。より詳細に説明すると、スキャナ部２でジャムが発生していると、上述のようにスキャナ部２は通電状態であり、ジャム検知センサ３２がジャムを検知できる。ジャム検知センサ３２がジャムを検知するとＳ１０４へ進む。一方、ジョブ実行中などでスキャナ部２が通電中であるがジャム検知センサ３２がジャムを検知していない場合、又はスキャナ部２が使用中でなく非通電状態である場合、これらの場合をジャム検知していないものとみなす。これらの場合にはＳ１０５へ進む。Ｓ１０４で、ＣＰＵ１３が、シャットダウン時に、スキャナ部２がジャム状態であったことを示すように、不揮発性メモリ３４（不揮発性記憶手段）のスキャナジャム検知フラグをオンにしてＳ１０５に進む。
【００４３】
Ｓ１０５でＣＰＵ１３は、プリンタ部４に備えられたジャム検知センサ３３がジャムを検知しているかどうかを判定する。プリンタ部４が通電状態で、ジャム検知センサ３３がジャムの発生を検知していると判定するとＳ１０６へ進み、そうでない場合はＳ１０７へ進む。この判断の詳細は上述のＳ１０３と同様である。
【００４４】
Ｓ１０６でＣＰＵ１３は、シャットダウン時に、プリンタ部４がジャム状態であったことを示すように、不揮発性メモリ３４のプリンタジャム検知フラグをオンにしてＳ１０７に進む。そしてＳ１０７でＣＰＵ１３は、電源リモート３５を制御し、ＡＣ−ＤＣコンバータ２０からのＤＣ電源供給を停止する。これにより複合機１は、電源オフ状態（図２（Ａ））となる。
【００４５】
こうして複合機１の電源がオフされてシャットダウンの実行中に、スキャナ部２とプリンタ部４でジャムが検知されているかどうかを調べ、ジャムが検知されているときは、対応するジャム検知フラグをオンにして不揮発性メモリ３４に記憶する。これにより次に複合機１の電源がオンされたときは、その不揮発性メモリ３４のジャム検知フラグを調べることにより、シャットダウン時にスキャナ部２或いはプリンタ部４でジャムが発生していたかどうかを判別できる。
【００４６】
図５は、本実施形態に係る複合機１の起動時の動作を説明するフローチャートである。この処理を実行するプログラムは、ハードディスク１４に記憶されており、実行時にメモリ１５にロードされ、このプログラムをＣＰＵ１３が実行することにより、このフローチャートで示す処理が実現される。は電源スイッチ３０がオンされることにより開始される。
【００４７】
この処理が開始されると、スイッチ状態の信号線３１を介して電源スイッチ３０がオンされたことを検知したＡＣ−ＤＣコンバータ２０がＤＣ電源の供給を開始する。これにより、まずコントローラ３が通電状態となってＣＰＵ１３が動作を開始する。この時点での通電状態は図２（Ｂ）のようになっている。ここではスキャナ部２、プリンタ部４はいずれも通電状態でない。
【００４８】
まずＳ２０１で、ＣＰＵ１３は、複合機１のファームウェアを起動する。即ち、ＣＰＵ１３は不揮発性メモリ３４に格納された実行可能プログラムであるファームウェアをメモリ１５にロードする。このファームウェアのロードが完了するとＣＰＵ１３はメモリ１５上のプログラムの実行を開始する。次にＳ２０２に進み、ＣＰＵ１３は、不揮発性メモリ３４のスキャナジャム検知フラグがオンかどうかを調べる。オンであればＳ２０３へ、オンでないときはＳ２１２へ進む。
【００４９】
Ｓ２０３でＣＰＵ１３は、スイッチ信号２３により、スキャナ部２への通電開始する。これにより複合機１の通電状態は図２（Ｄ）のようになる。次にＳ２０４に進みＣＰＵ１３は、スキャナ部２のジャム検知センサ３２がジャムを検知しているかどうかを判定する。この時点ではスキャナ部２は通電状態であるのでジャム検知センサ３２を用いたジャムの検知が可能になっている。ジャム検知センサ３２がジャムを検知していれば、シャットダウン時に発生していたスキャナ部２のジャムが解消されていないことになるのでＳ２０５へ進む。一方、Ｓ２０４でジャムを検知していないときは、複合機１の電源がオフの間に、スキャナ部２のジャムが解消されたことを意味するのでＳ２１１へ進む。Ｓ２１１でＣＰＵ１３は、スイッチ信号２３によりスキャナ部２を非通電状態にしてＳ２１２に進む。これにより複合機１の通電状態は図２（Ｂ）のようになる。
【００５０】
Ｓ２０５でＣＰＵ１３は、不揮発性メモリ３４のプリンタジャム検知フラグがオンかどうかを調べる。オンであればＳ２０６へ、オンでないときはＳ２１０へ進む。Ｓ２０６でＣＰＵ１３は、スイッチ信号２２によりプリンタ部４を通電状態にする。これにより複合機１の通電状態は、スキャナ部２、コントローラ３及びプリンタ部４に通電されている図２（Ｃ）のようになる。そしてＳ２０７に進み、ＣＰＵ１３は、プリンタ部４のジャム検知センサ３３がジャムを検知しているかどうかを判定する。この時点でプリンタ部４は通電状態であるので、ジャム検知センサ３３を用いた、プリンタ部４のジャムの検知が可能になっている。ジャム検知センサ３３がジャムを検知していればＳ２０８へ進み、ジャムを検知していなければＳ２０９へ進む。Ｓ２０８でＣＰＵ１３は、操作部８の表示パネルに、スキャナ部２及びプリンタ部４の双方でジャムが発生していることを示すメッセージを表示し、ユーザに対してジャムの発生を報知してＳ２１６に進む。
【００５１】
一方、Ｓ２０７でプリンタ部４のジャム検知センサ３３がジャムを検知していないときはＳ２０９に進み、ＣＰＵ１３はスイッチ信号２２により、プリンタ部４を非通電状態にしてＳ２１０に進む。これにより複合機１の通電状態は図２（Ｄ）のようになる。Ｓ２１０でＣＰＵ１３は、操作部８の表示パネルにスキャナ部２でジャムが発生していることを示すメッセージを表示し、ユーザに対して報知してＳ２１６に進む。
【００５２】
一方、Ｓ２０２で、不揮発性メモリ３４のスキャナジャム検知フラグがオフであると判定したときはＳ２１２に進み、ＣＰＵ１３は、不揮発性メモリ３４のプリンタジャム検知フラグがオンかどうかを判定する。オンであればＳ２１３へ、オンでないときはＳ２１８へ進む。Ｓ２１３でＣＰＵ１３は、スイッチ信号２２により、プリンタ部４を通電状態にしてＳ２１４に進む。これにより複合機１の通電状態は図２（Ｅ）のようになる。
【００５３】
Ｓ２１４でＣＰＵ１３は、プリンタ部４のジャム検知センサ３３がジャムを検知しているかどうかを判定する。ジャム検知センサ３３がプリンタ部４のジャムを検知していればＳ２１５へ進み、ジャムを検知していなければＳ２１７へ進む。Ｓ２１５でＣＰＵ１３は、操作部８の表示パネルにプリンタ部４でジャムが発生していることを示すメッセージを表示してＳ２１６に進む。Ｓ２１６でＣＰＵ１３は、不揮発性メモリ３４に記録されているスキャナジャム検知フラグ及び／又はプリンタジャム検知フラグをにオフにする。
【００５４】
またＳ２１４で、プリンタ部４のジャム検知センサ３３がジャムを検知していないときはＳ２１７に進み、ＣＰＵ１３はスイッチ信号２２によりプリンタ部４を非通電状態にすしてＳ２１８に進む。これにより複合機１の通電状態は、コントローラ３に通電している図２（Ｂ）のようになる。
【００５５】
Ｓ２１８は、不揮発性メモリ３４に記録されているスキャナジャム検知フラグ及びプリンタジャム検知フラグがともにオフの場合、或いはスキャナ部２とプリンタ部４のいずれでもジャムが発生していない場合に実行される。Ｓ２１８でＣＰＵ１３は、複合機１の起動を完了し、複合機１をジョブ受け付け可能なスタンバイ状態とする。
【００５６】
この起動処理により、シャットダウン時にスキャナ部及び／又はプリンタ部でジャムが発生していたときは、そのジャムが電源がオフの間に解消されているかどうかを判別し、そのジャムが解消されていない場合にのみ、ユーザに対して警告することができる。
【００５７】
以上説明したように本実施形態によれば、スキャナ部やプリンタ部のようなエンジン部を非通電状態のまま起動するように構成された複合機であっても、起動時点で既に発生しているジャムを検知して報知することができる。
【００５８】
尚、実施形態では複数のエンジン部を備える複合機を例にして説明したが本発明はこれに限定されるものでなく、単一のエンジン部を備える画像形成装置であっても良い。
【００５９】
また、起動時にジャムを報知するためにエンジン部を通電状態とするのは、複合機の電源をオフにした時点でジャムが発生していた場合だけである。これにより複合機の電源オフ時にジャムが発生していなかった場合には、エンジン部を非通電のまま起動するので、不必要な電力を消費することが無い。更に、複合機の電源がオフされた時点のジャム発生状態に基づいて、複合機の起動時に、スキャナ部とプリンタ部のそれぞれを通電状態にするかどうかを制御して、必要な部分にのみ通電するようにしている。これにより利便性と省電力を両立できる。
【００６０】
加えて、複合機の起動時に、エンジン部のジャム検知センサによりジャムが発生しているかどうかを判定している。従って、複合機の電源がオフされている期間に、ユーザがジャムの要因を除去する処理を行っていた場合には、複合機の電源がオンされた時にジャムの発生を報知することが無い。このため不要なジャムの報知が発生することが無く、利便性が向上する。
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014104726.tif 000003
【図２】
2014104726.tif 000004
【図３】
2014104726.tif 000005
【図４】
2014104726.tif 000006
【図５】
2014104726.tif 000007